(57)【要約】【課題】再生等の動作状態を容易に確認することができる、使い易い音声再生装置及び音声再生システムを提供することである。【解決手段】音声再生装置は、記憶部３３に記憶されている音声データをワイヤレスヘッドフォンに送信し、上記ワイヤレスヘッドフォンに於いて音声を再生させる。装置本体２０は、送受信部２２、アンテナ２１を介してワイヤレスヘッドフォンと通信を行う。記憶部３３に記憶されている音声データは、上記送受信部２２、アンテナ２１を介して、順次ワイヤレスヘッドフォンに送信されて再生される。そして、システム制御部３０によって、上記ワイヤレスヘッドフォンとの通信状態が不良であることが検出された場合は、上記音声データの再生動作が禁止される。【選択図】図２
2006303672.tif 000002
【特許請求の範囲】
【請求項１】
記憶媒体に記憶されている音声データをワイヤレスヘッドフォンに送信し、上記ワイヤレスヘッドフォンに於いて音声を再生させる音声再生装置に於いて、
上記ワイヤレスヘッドフォンと通信を行う通信手段と、
上記通信手段を介して、上記記憶媒体に記憶されている音声データを順次上記ワイヤレスヘッドフォンに送信し再生させる再生手段と、
上記ワイヤレスヘッドフォンとの通信状態を検出する通信状態検出手段と、
上記通信状態検出手段によって上記ワイヤレスヘッドフォンとの通信状態が不良であることが検出された場合は、上記再生手段による再生動作を禁止する禁止手段と、
を具備することを特徴とする音声再生装置。
【請求項２】
更に、上記禁止手段により上記再生動作が禁止されたときには、上記禁止された時点の音声データの再生位置を記憶する再生位置記憶手段を具備することを特徴とする請求項１に記載の音声再生装置。
【請求項３】
更に、上記禁止手段により上記再生動作が禁止されたときには、該音声再生装置の電力モードを、上記通信状態検出手段の機能を動作させつつ、その他の不要な機能を停止させた低消費電力モードに移行させる電力モード設定手段を具備することを特徴とする請求項１に記載の音声再生装置。
【請求項４】
更に、上記禁止手段により上記再生動作が禁止されたときには、上記通信手段を介して、上記ワイヤレスヘッドフォンの電力モードを待機モードに設定させるための信号を、上記ワイヤレスヘッドフォンに送信するコマンド送信手段を具備することを特徴とする請求項１に記載の音声再生装置。
【請求項５】
更に、上記通信状態検出手段により、通信状態の不良が所定時間以上継続して検出されたときには、該音声再生装置の電力モードをパワーオフモードに移行する電力モード設定手段を具備することを特徴とする請求項１に記載の音声再生装置。
【請求項６】
更に、上記通信状態検出手段で、通信状態の不良が解消されたことが検出されたときには、上記禁止手段による再生動作の禁止を解除する解除手段を具備することを特徴とする請求項２に記載の音声再生装置。
【請求項７】
上記解除手段により上記再生動作の禁止が解除されたときには、上記記憶手段に記憶された再生位置よりデータの再生を開始することを特徴とする請求項６に記載の音声再生装置。
【請求項８】
上記通信状態検出手段は、上記ワイヤレスヘッドフォンから発信される測定用信号の電波強度を測定することを特徴とする請求項１に記載の音声再生装置。
【請求項９】
ワイヤレスヘッドフォンと、記憶媒体に記憶されている音声データを上記ワイヤレスヘッドフォンに送信し、上記ワイヤレスヘッドフォンに於いて音声を再生させる音声再生装置と、を含む音声再生システムに於いて、
上記音声再生装置は、
上記ワイヤレスヘッドフォンと送受信を行う第１の通信手段と、
上記第１の通信手段を介して、上記記憶媒体に記憶されている音声データを順次上記ワイヤレスヘッドフォンに送信し再生させる再生手段と、
上記ワイヤレスヘッドフォンとの通信状態を検出する通信状態検出手段と、
上記通信状態検出手段に於いて、通信状態が不良であると判定されたときには、上記第１の通信手段を介して上記ワイヤレスヘッドフォンの電力モードを待機モードに設定させるための待機モード設定信号を、上記ワイヤレスヘッドフォンに送信するコマンド送信手段と、
を具備し、
上記ワイヤレスヘッドフォンは、
上記音声再生装置と送受信を行う第２の通信手段と、
上記待機モード設定信号を受信したときには、該ワイヤレスヘッドフォンの電力モードを待機モードに設定するワイヤレスヘッドフォン電力モード設定手段と、
を具備する
ことを特徴とする音声再生システム。
【請求項１０】
音声データを再生する再生手段と、
この再生手段で再生される音声データを受信する受信手段と、
を備えるワイヤレスヘッドフォンと、
音声データを記憶している記憶媒体と、
この記憶媒体に記憶された音声データを上記ワイヤレスヘッドフォンに順次送信する送信手段と、
上記送信手段と上記受信手段を介した上記ワイヤレスヘッドフォンとの通信状態を検出する通信状態検出手段と、
上記送信手段から上記受信手段を介して送信された音声データを上記再生手段で再生させるもので、上記通信状態検出手段によって上記ワイヤレスヘッドフォンとの通信状態が不良であることが検出された場合は、上記再生手段による再生動作を禁止させるように制御する制御手段と、
を備える音声再生装置本体と、
を具備することを特徴とする音声再生システム。
【請求項１１】
上記制御手段によって上記再生手段の再生動作が禁止された場合は、上記禁止された時点の音声データの再生位置を記憶する再生位置記憶手段を更に具備することを特徴とする請求項１０に記載の音声再生システム。
【請求項１２】
上記制御手段によって上記再生手段の再生動作が禁止された場合は、上記音声再生装置本体の電力モードを、上記通信状態検出手段の機能を動作させながら、その他の不要な機能を停止させた低消費電力モードに移行させる電力モード設定手段を更に具備することを特徴とする請求項１０に記載の音声再生システム。
【請求項１３】
上記制御手段によって上記再生手段による再生動作が禁止された場合は、上記送信手段及び受信手段を介して、上記ワイヤレスヘッドフォンの電力モードを待機モードに設定させるための信号を、上記ワイヤレスヘッドフォンに送信するコマンド送信手段を更に具備することを特徴とする請求項１０に記載の音声再生システム。
【請求項１４】
上記通信状態検出手段によって通信状態の不良が所定時間以上継続して検出された場合は、上記音声再生装置本体の電力モードをパワーオフモードに移行する電力モード設定手段を更に具備することを特徴とする請求項１０に記載の音声再生システム。
【請求項１５】
上記通信状態検出手段によって通信状態の不良が解消されたことが検出された場合は、上記再生手段による再生動作の禁止を解除する解除手段を更に具備することを特徴とする請求項１１に記載の音声再生システム。
【請求項１６】
上記解除手段により上記再生手段による再生動作の禁止が解除された場合は、上記記憶手段に記憶された再生位置よりデータの再生を開始することを特徴とする請求項１５に記載の音声再生システム。
【請求項１７】
上記通信状態検出手段は、上記ワイヤレスヘッドフォンから発信される測定用信号の電波強度を測定することを特徴とする請求項１０に記載の音声再生システム。
【発明の詳細な説明】
【技術分野】
【０００１】
本発明はワイヤレス機能を備えた音声再生装置及び音声再生システムに関するものである。
【背景技術】
【０００２】
周知のように、音声信号をデジタルデータに変換した後、書き換え可能な記憶媒体のフラッシュメモリに記憶し、上記フラッシュメモリに記憶された音声データをアナログ化して再生するという携帯型の音声記録再生装置（以下、ＩＣレコーダと記す）が実用化されている。そして、これらＩＣレコーダの特徴として、所定の操作スイッチを操作することにより、録音、再生、早送り、及び早戻し等の各動作モードを選択的に機能させることができる。
【０００３】
例えば、録音動作のときは、予め上記フラッシュメモリに設けられた音声データ領域及びインデックス情報領域に、デジタル信号に変換された音声データ及び該音声データに関するインデックス情報（音声データのアドレス、録音日時等）を記憶するようになっている。上記フラッシュメモリに記憶される音声データは、ファイルナンバとフォルダ記号が割り当てられ、その後のファイル検索や再生を容易にしている。
【０００４】
また、上記フォルダは、録音毎に増え続けるファイルを効率よく区分管理するために、例えばＡ、Ｂ及びＣフォルダのように、通常は複数個設けられており、選択中のフォルダを口述者が認識し易いように、セット本体に設けられたＬＣＤ等の表示機器に当該フォルダマークをポップ表示するように工夫されている。
【０００５】
更に、上記ＩＣレコーダに限らず、一部の音楽プレーヤは、携帯性及び操作性を少しでもよくするために、従来、本機側に設けられていた操作部または本機側に従属していた接続コード等が、ワイヤレスリモコンやワイヤレスヘッドフォンのようなコードレスタイプに変換されている。これは例えば、本機側（音楽プレーヤ等）から電波で音声信号をヘッドフォンに送信することが知られている（例えば、特許文献１参照）。
【０００６】
しかも、本機側から送信される音声信号等の電波強度が、ヘッドフォン側の受信レベルに満たないとき、ヘッドフォンが本機から離れた（離れている）と判断して、操作者が気付くような警報音を出力するようになっている。このことは、本機側の受信レベルが所定値以下のときも同様である。
【特許文献１】特開平６−１７６２８０号公報
【発明の開示】
【発明が解決しようとする課題】
【０００７】
しかしながら、上述したような警報のシステムは、受信困難に陥る寸前に単に警報音を発して注意を促しているので、警報音を発したその直後に受信信号が一時的に途切れる、または辛うじて受信できたとしても、再生音が断続的に聴こえてノイジーになる等、結果的に操作者は、異常再生を回避できない危険性がある。すなわち、操作者が警報音に気付いてから対処する暇もなく、異常な再生音を耳にして不愉快な思いをすることになる。
【０００８】
特に、録音した音声の文字起こしや、歌詞（楽譜）を指で追いながら音楽を聴いているような場合は、その異常再生の前後の繋がりが途切れてしまうので好ましくない。更に、上記特許文献１に記載の技術では、異常再生が起きた箇所から再生をやり直すことができないので、非常に使い勝手が悪いものであった。
【０００９】
したがって本発明の目的は、上記実情に鑑みてなされたものであり、再生等の動作状態を容易に確認することができる、使い易い音声再生装置及び音声再生システムを提供することである。
【課題を解決するための手段】
【００１０】
すなわち、請求項１に記載の発明は、記憶媒体に記憶されている音声データをワイヤレスヘッドフォンに送信し、上記ワイヤレスヘッドフォンに於いて音声を再生させる音声再生装置に於いて、上記ワイヤレスヘッドフォンと通信を行う通信手段と、上記通信手段を介して、上記記憶媒体に記憶されている音声データを順次上記ワイヤレスヘッドフォンに送信し再生させる再生手段と、上記ワイヤレスヘッドフォンとの通信状態を検出する通信状態検出手段と、上記通信状態検出手段によって上記ワイヤレスヘッドフォンとの通信状態が不良であることが検出された場合は、上記再生手段による再生動作を禁止する禁止手段と、を具備することを特徴とする。
【００１１】
請求項２に記載の発明は、請求項１に記載の発明に於いて、更に、上記禁止手段により上記再生動作が禁止されたときには、上記禁止された時点の音声データの再生位置を記憶する再生位置記憶手段を具備することを特徴とする。
【００１２】
請求項３に記載の発明は、請求項１に記載の発明に於いて、更に、上記禁止手段により上記再生動作が禁止されたときには、該音声再生装置の電力モードを、上記通信状態検出手段の機能を動作させつつ、その他の不要な機能を停止させた低消費電力モードに移行させる電力モード設定手段を具備することを特徴とする。
【００１３】
請求項４に記載の発明に於いて、更に、上記禁止手段により上記再生動作が禁止されたときには、上記通信手段を介して、上記ワイヤレスヘッドフォンの電力モードを待機モードに設定させるための信号を、上記ワイヤレスヘッドフォンに送信するコマンド送信手段を具備することを特徴とする請求項１に記載の音声再生装置。
【００１４】
請求項５に記載の発明は、請求項１に記載の発明に於いて、更に、上記通信状態検出手段により、通信状態の不良が所定時間以上継続して検出されたときには、該音声再生装置の電力モードをパワーオフモードに移行する電力モード設定手段を具備することを特徴とする。
【００１５】
請求項６に記載の発明は、請求項２に記載の発明に於いて、更に、上記通信状態検出手段で、通信状態の不良が解消されたことが検出されたときには、上記禁止手段による再生動作の禁止を解除する解除手段を具備することを特徴とする。
【００１６】
請求項７に記載の発明は、請求項６に記載の発明に於いて、上記解除手段により上記再生動作の禁止が解除されたときには、上記記憶手段に記憶された再生位置よりデータの再生を開始することを特徴とする。
【００１７】
請求項８に記載の発明は、請求項１に記載の発明に於いて、上記通信状態検出手段は、上記ワイヤレスヘッドフォンから発信される測定用信号の電波強度を測定することを特徴とする。
【００１８】
請求項９に記載の発明は、ワイヤレスヘッドフォンと、記憶媒体に記憶されている音声データを上記ワイヤレスヘッドフォンに送信し、上記ワイヤレスヘッドフォンに於いて音声を再生させる音声再生装置と、を含む音声再生システムに於いて、上記音声再生装置は、上記ワイヤレスヘッドフォンと送受信を行う第１の通信手段と、上記第１の通信手段を介して、上記記憶媒体に記憶されている音声データを順次上記ワイヤレスヘッドフォンに送信し再生させる再生手段と、上記ワイヤレスヘッドフォンとの通信状態を検出する通信状態検出手段と、上記通信状態検出手段に於いて、通信状態が不良であると判定されたときには、上記第１の通信手段を介して上記ワイヤレスヘッドフォンの電力モードを待機モードに設定させるための待機モード設定信号を、上記ワイヤレスヘッドフォンに送信するコマンド送信手段と、を具備し、上記ワイヤレスヘッドフォンは、上記音声再生装置と送受信を行う第２の通信手段と、上記待機モード設定信号を受信したときには、該ワイヤレスヘッドフォンの電力モードを待機モードに設定するワイヤレスヘッドフォン電力モード設定手段と、を具備することを特徴とする。
【００１９】
請求項１０に記載の発明は、音声データを再生する再生手段と、この再生手段で再生される音声データを受信する受信手段と、を備えるワイヤレスヘッドフォンと、音声データを記憶している記憶媒体と、この記憶媒体に記憶された音声データを上記ワイヤレスヘッドフォンに順次送信する送信手段と、上記送信手段と上記受信手段を介した上記ワイヤレスヘッドフォンとの通信状態を検出する通信状態検出手段と、上記送信手段から上記受信手段を介して送信された音声データを上記再生手段で再生させるもので、上記通信状態検出手段によって上記ワイヤレスヘッドフォンとの通信状態が不良であることが検出された場合は、上記再生手段による再生動作を禁止させるように制御する制御手段と、を備える音声再生装置本体と、を具備することを特徴とする。
【００２０】
請求項１１に記載の発明は、請求項１０に記載の発明に於いて、上記制御手段によって上記再生手段の再生動作が禁止された場合は、上記禁止された時点の音声データの再生位置を記憶する再生位置記憶手段を更に具備することを特徴とする。
【００２１】
請求項１２に記載の発明は、請求項１０に記載の発明に於いて、上記制御手段によって上記再生手段の再生動作が禁止された場合は、上記音声再生装置本体の電力モードを、上記通信状態検出手段の機能を動作させながら、その他の不要な機能を停止させた低消費電力モードに移行させる電力モード設定手段を更に具備することを特徴とする。
【００２２】
請求項１３に記載の発明は、請求項１０に記載の発明に於いて、上記制御手段によって上記再生手段による再生動作が禁止された場合は、上記送信手段及び受信手段を介して、上記ワイヤレスヘッドフォンの電力モードを待機モードに設定させるための信号を、上記ワイヤレスヘッドフォンに送信するコマンド送信手段を更に具備することを特徴とする。
【００２３】
請求項１４に記載の発明は、請求項１０に記載の発明に於いて、上記通信状態検出手段によって通信状態の不良が所定時間以上継続して検出された場合は、上記音声再生装置本体の電力モードをパワーオフモードに移行する電力モード設定手段を更に具備することを特徴とする。
【００２４】
請求項１５に記載の発明は、請求項１１に記載の発明に於いて、上記通信状態検出手段によって通信状態の不良が解消されたことが検出された場合は、上記再生手段による再生動作の禁止を解除する解除手段を更に具備することを特徴とする。
【００２５】
請求項１６に記載の発明は、請求項１５に記載の発明に於いて、上記解除手段により上記再生手段による再生動作の禁止が解除された場合は、上記記憶手段に記憶された再生位置よりデータの再生を開始することを特徴とする。
【００２６】
請求項１７に記載の発明は、請求項１０に記載の発明に於いて、上記通信状態検出手段は、上記ワイヤレスヘッドフォンから発信される測定用信号の電波強度を測定することを特徴とする。
【発明の効果】
【００２７】
本発明によれば、再生等の動作状態を容易に確認することができる、使い易い音声再生装置及び音声再生システムを提供することができる。
【発明を実施するための最良の形態】
【００２８】
以下、図面を参照して本発明の実施形態について説明する。
【００２９】
図１は、本発明の一実施形態であるワイヤレス式音声記録再生装置のヘッドフォン側の概略構成を示したブロック図である。
【００３０】
このヘッドフォン１０は、音声信号を再生する音声再生部１１と、音声信号及び制御信号を送受信する送受信部１２と、該ヘッドフォン１０全体の制御動作を司る制御部１３と、表示部１４と、操作部１５及びアンテナ１７とを有して成る。
【００３１】
ヘッドフォン１０のアンテナ１７は、後述する図２に示される装置本体２０から送信された音声信号及び制御信号の変調電波を受信する。このアンテナ１７で受信された音声信号及び制御信号は、通信手段（第２の通信手段または受信手段）である送受信部１２にて増幅復調された後、音声信号のみが再生手段である音声再生部１１に入力される。このとき、音声信号に付帯する制御信号は、復調時に弁別されて制御部１３に入力される。
【００３２】
制御部１３では、上記制御信号のコード内容に応じて、予め決められた所定のシーケンスが実行される。このとき、ヘッドフォン１０の動作状態は、表示部１４に簡易的に表示される。例えば、後述するＬＥＤ６４（図１２参照）のように、再生開始及び停止等の動作状態をＬＥＤの点灯或いは点滅によって視覚的に告知される。勿論、ＬＣＤ等が用いられて多くの情報がより詳しく表示されるようにしてもよい。
【００３３】
操作部１５は、後述するＰＬＡＹ  ＳＷ６６及びＰＯＷＥＲ  ＳＷ６５のような必要最小限のスイッチを設けて、上記再生開始及び停止等を直接操作できるようにしている。上記音声信号は、音声再生部１１で更に増幅されて、外部のドライバユニット１８を駆動する。上記ドライバユニット１８は、取り外し可能な延長ケーブルで上記ヘッドフォン１０から分離させてもよいが、ヘッドフォン１０と一体（内蔵）型にして、使用者の頭部に直接装着できるようなケーブルレスの構成にしてもよい。
【００３４】
図２は、本発明の一実施形態であるワイヤレス式音声記録再生装置の装置本体側の概略構成を示したブロック図である。
【００３５】
図２に於いて、装置本体２０は、アンテナ２１と、このアンテナ２１を介して音声信号を送受信する送受信部２２と、音声信号とデジタル信号との間で信号を変換するコーデック２３と、マイクロフォン（ＭＩＣ）２５及び音声入力部２６と、音声再生部２７及びスピーカ２８と、デジタル信号処理部（Ｄｉｇｉｔａｌ  Ｓｉｇｎａｌ  Ｐｒｏｃｅｓｓｏｒ；ＤＳＰ）２９と、システム制御部３０と、表示部３２と、記憶部（メモリ）３３及び操作部３４とを有して構成されている。
【００３６】
マイクロフォン２５で変換出力される音声等の微弱電気信号は、音声入力部２６内の図示されないマイクアンプで音声信号として扱えるレベルまで増幅される。上記マイクアンプで増幅されたアナログ音声信号は、コーデック２３内の図示されないローパスフィルタで不要な周波数帯域がカットされた後、図示されないＡ／Ｄ変換器にてデジタル音声信号に変換される。このデジタル音声信号は、デジタル信号処理部２９に入力される。
【００３７】
デジタル信号処理部２９では、録音時にはシステム制御部３０により制御されて上記デジタル音声信号がフレーム単位で所定の符号化フォーマットの音声データに符号化（圧縮変換）される。ここで符号化された音声データは、一時的にシステム制御部３０内の図示されないバッファメモリに記憶される。一方、再生時の上記デジタル信号処理部２９では、システム制御部３０によって制御されて、上述したバッファメモリ（図示せず）から音声データがフレーム単位で読み出されて復号化（伸長）される。
【００３８】
復号化されたデジタル音声信号は、コーデック２３の図示されないＤ／Ａ変換器でアナログ音声信号に変換された後、図示されないローパスフィルタで不要な周波数帯域がカットされる。そして、音声再生部２７内の図示されないパワーアンプで増幅されて、スピーカ２８から音声として変換出力される。
【００３９】
上記システム制御部３０は、制御手段、通信状態検出手段、電力モード設定手段、解除手段を構成している。また、上記システム制御部３０内の図示されないＣＰＵには、上記デジタル信号処理部２９以外に、通信手段（第１の通信手段または送信手段、コマンド送信手段）である送受信部２２、表示部３２、記憶手段（再生位置記憶手段）である記憶部３３及び操作部３４が接続されており、操作部３４の後述する各種スイッチ入力に応じて各ブロックが統括的に制御される。
【００４０】
記憶部３３は、不揮発性の半導体メモリ、例えばフラッシュメモリ等で構成されている。そして、録音時は、上記デジタル信号処理部２９で符号化された音声データが、上記システム制御部３０内の図示されないバッファメモリを介して記憶される。このとき、音声データに関するインデックス情報も記憶される。
【００４１】
操作部３４には、録音スイッチ（ＲＥＣ）、再生スイッチ（ＰＬＡＹ）、停止スイッチ（ＳＴＯＰ）、早送りスイッチ（ＦＦ）、早戻しスイッチ（ＲＥＷ）、メニュースイッチ（ＭＥＮＵ）、ホールドスイッチ（ＨＯＬＤ）等の各種スイッチが機能別に配設されている。
【００４２】
表示部３２は、上記操作部３４の何れのスイッチ操作により、所定のシーケンスが開始されときの動作モード、またはその後の動作状況が表示される。例えば、録音スイッチが押された場合は、録音の経過時間、録音可能な残り時間、及びファイルナンバ等が表示される。また、メニュースイッチが押された場合は、マイク感度（高／低）、録音モード（標準／ロング）、及びアラーム（オン／オフ）等の機能選択に関連した表示が行われる。また、上記システム制御部３０が時計機能を有している場合は、現在日時の表示も行われる。更には、各シーケンスの動作状況に応じて、ヘッドフォン１０及び装置本体２０のバッテリチェック結果も表示される。
【００４３】
上述したアナログ音声信号及び制御信号は、送信機能を有する送受信部２２に入力されて所定の形式に変調増幅された後、装置本体２０のアンテナ２１から、予め定められた所定周波数の電波として出力される。勿論、少しでも音質を優先するならば、上述した復号化（伸長）直後のデジタル音声信号は、アナログ音声信号に変換しないでそのまま変調増幅した方がよい。すなわち、デジタル音声信号のまま（例えば、所定ビットレートのシリアルデータ）送信することにより、Ｓ／Ｎ等のノイズ耐性は格段に向上する。このとき、ヘッドフォン１０には、音声再生部１１にＤ／Ａ変換器及びローパスフィルタを追加して、増幅復調後のシリアルデータをアナログ音声信号に変換するようにする。
【００４４】
図１に示される送受信部１２及び図２に示される送受信部２２は、一対で機能する。また、各々の送受信部は、１個の送信機能と１個の受信機能とで構成されており、それぞれ独立してオン／オフすることができる。更に、送信機能と受信機能を同時に働かせて、双方向に通信することも可能である。これら送受信部の制御は、上述した図１に示される制御部１３及び図２に示されるシステム制御部３０が統括的に制御する。
【００４５】
次に、図３のフローチャートを参照して、本発明の一実施形態であるワイヤレス式音声記録再生装置のメイン動作について説明する。
【００４６】
図３は、本発明の一実施形態であるワイヤレス式音声記録再生装置のメインの動作を説明するフローチャートである。
【００４７】
図２に示される装置本体２０がパワーオンされると、先ずステップＳ１に於いて、システム制御部３０により、メモリ内のクリア、各種パラメータ設定、ハードリセット等の所定の初期設定が行われる。続いて、ステップＳ２にて該システム制御部３０の図示されないタイマスタートが実行される。このタイマは、所定時間経過後に装置本体２０が通常の動作モードから待機モード（低消費電流モード）に入るための時間を計時するためのものである。
【００４８】
通常の動作モードに入ると、ステップＳ３〜Ｓ９に於いて、各種のスイッチ検出が行われる。すなわち、録音スイッチ（ＲＥＣ  ＳＷ）、再生スイッチ（ＰＬＡＹ  ＳＷ）、早送りスイッチ（ＦＦ  ＳＷ）・早戻しスイッチ（ＲＥＷ  ＳＷ）、停止スイッチ（ＳＴＯＰ  ＳＷ）、メニュースイッチ（ＭＥＮＵ  ＳＷ）、消去スイッチ（ＥＲＡＳＥ  ＳＷ）の順に、オンされたスイッチがあるか否かが検出される。
【００４９】
ステップＳ３にて、録音スイッチがオンされたならば、ステップＳ１０に移行して録音処理が実行される。一方、録音スイッチがオンされていない場合は、ステップＳ４に移行して再生スイッチの状態が検出される。ここで、再生スイッチがオンされたならば、ステップＳ１１に移行して、ワイヤレス送受信機能に係るサブルーチン「再生処理」が実行される。このサブルーチン「再生処理」の詳細については後述する。一方、再生スイッチがオンされていない場合は、ステップＳ５へ移行する。
【００５０】
ステップＳ５では、早送りスイッチの状態が検出される。ここで、早送りスイッチがオンされたならば、ステップＳ１２に移行して早送り処理が実行される。一方、早送りスイッチがオンされていない場合は、ステップＳ６へ移行する。このステップＳ６では、早戻しスイッチの状態が検出される。ここで、早戻しスイッチがオンされたならば、ステップＳ１３に移行して早戻し処理が実行される。一方、早戻しスイッチがオンされていない場合は、ステップＳ７へ移行する。
【００５１】
ステップＳ７では、停止スイッチの状態が検出される。そして、停止スイッチがオンされたならば、ステップＳ１４へ移行して停止処理が実行される。一方、停止スイッチがオンされていない場合は、ステップＳ８へ移行して、メニュースイッチの状態が検出される。ここで、メニュースイッチがオンされたならば、ステップＳ１５へ移行して、メニュー変更処理が実行される。一方、メニュースイッチがオンされていない場合は、ステップＳ９へ移行する。
【００５２】
ステップＳ９では、消去スイッチの状態が検出される。そして、消去スイッチがオンされたならば、ステップＳ１６へ移行して、消去処理が実行される。一方、上記ステップＳ９にて消去スイッチがオンされていない場合は、ステップＳ１８へ移行する。
【００５３】
上記ステップＳ１０〜Ｓ１６にて、それぞれのスイッチに対応した処理が実行された後は、ステップＳ１７に移行して、上記ステップＳ２でスタートされたタイマが再スタートされる。その後、上記ステップＳ３へ移行する。
【００５４】
上記ステップＳ３〜Ｓ９にて全てのスイッチがオフであると判定された場合は、ステップ１８にて、上記ステップＳ２でスタートされたタイマの状態が検出される。ここで、タイマオーバであれば上記ステップＳ３へ移行するが、そうでなければステップＳ１９へ移行する。そして、このステップＳ１９にて、上記タイマの計時時間が所定時間をオーバしたと判定されると、ステップＳ１９へ移行して、待機モードであるスタンバイモードの処理がなされる。その後、上記ステップＳ２へ移行する。
【００５５】
待機モードに入ると低消費電流動作になる。具体的には、図２に示される音声入力部２６、音声再生部２７、コーデック２３、送受信部２２、デジタル信号処理部２９、表示部３２及び記憶部３３の電源が遮断、若しくは各ブロックを構成する図示されないＩＣに設けられているチップイネーブル端子に、システム制御部３０から非選択信号が出力されることにより、低消費電流状態になる。このとき、システム制御部３０のＣＰＵは、自らも動作クロックを最も消費電流の少ない低速クロックに切り換えて低消費電流状態となる。或いは、動作クロックをメインクロック（例えば、２７．０００ＭＨｚ）からサブクロック（例えば、３２．７６８ｋＨｚ）に切り換えて、その後スイッチ入力が検出されるまでメインクロックを完全に停止させてもよい。
【００５６】
尚、上述した早送り処理、早戻し処理、停止処理、メニュー変更処理及び消去処理は、周知の技術手段を用いて実施するものであり、本発明内容に直接関係しないので詳しい説明は省略する。
【００５７】
次に、図４のフローチャートを参照して、ヘッドフォン側の動作について説明する。
【００５８】
ヘッドフォン１０の電源がオンされると、ステップＳ２１にて、図示されないＣＰＵで構成された制御部１３によって、装置本体２０側から送信される音声信号及び制御信号の変調電波を受信するために、送受信部１２が受信状態に初期設定される。一方、音声再生部１１では、ポップ音等の無用の雑音をドライバユニット１８に出力しないように、ディスエーブル状態に初期設定される。表示部１４は、通常の動作モードを告知表示するとき、例えば、電源オンに同期して緑色ＬＥＤを点灯させてもよい。
【００５９】
そして、ステップＳ２２にて、制御部１３の図示されないＣＰＵのタイマがスタートされると、続くステップＳ２３及びＳ２４に於いて、再生開始コマンドの受信待ち状態になる。上記タイマは、所定時間経過後にヘッドフォン１０が通常の動作モードから待受けモード（低消費電流モード）に入るための時間を計時する。その後、制御部１３にてタイムオーバが検出されると、ステップＳ２６に移行する。
【００６０】
一方、所定時間経過以内に上記再生開始コマンドが受信された場合は、ステップＳ２５に移行して、詳細を後述するサブルーチン「ヘッドフォン側再生処理」が実行される。次いで、ステップＳ２６に移行して、詳細を後述するサブルーチン「待受けモード」に移行する。
【００６１】
そして、ステップＳ２７に於いては、ヘッドフォン１０側が待ち受けモードに入っていたか否かを表すＷ＿ＳＴフラグの状態が判定される。ここで、Ｗ＿ＳＴフラグがクリア（“０”がセット）されている場合は、再生開始コマンドに続いて音声信号を受信する可能性が高いので、上記ステップＳ２５へ移行して、直ちにヘッドフォン側再生処理が実行される。一方、Ｗ＿ＳＴフラグがセット（“１”がセット）されている場合は、ヘッドフォン１０が意図的に通常動作モードに切り換えられただけである。したがって、上記ステップＳ２２へ移行して、制御部１３の図示されないＣＰＵのタイマがスタートされ、続いてステップＳ２３及びＳ２４の再生開始コマンドの受信待ち状態になる。
【００６２】
次に、図５のフローチャートを参照して、図４のフローチャートに於けるステップＳ２６のサブルーチン「待受けモード」の動作について説明する。
【００６３】
待受けモードに入ると、先ずステップＳ３１にて、制御部１３によって音声再生部１１及び表示部１４がディスエーブル状態に設定される。すなわち、ヘッドフォン１０に内蔵された図示されない電池が、むやみに消耗されないように低消費電流動作に設定される。この設定は、上述した図４のフローチャートに於けるステップＳ２１の初期設定とほぼ同等の動作状態であり、ステップＳ３２にてヘッドフォン１０の電源がオフされるまでの間は、送受信部１２だけが動作している再生開始コマンドの受信待ち状態になる。また、同時に、ステップＳ３３に於いて、操作部１５のスイッチ入力発生待ち状態にもなる。
【００６４】
上記待ち状態の場合は、制御部１３が消費電流の少ない低速クロック動作に切り換わって、上述した低消費電流動作が維持される。上記待ち状態から通常動作モードヘの切り換わりは、送受信部１２の再生開始コマンドの受信、または操作部１５によるスイッチ入力により行われる。具体的には、制御部１３の図示されないＣＰＵのシリアルポートから取り込まれた復調後の制御信号が、所定ビット長で表す再生開始コマンドであるならば、ステップＳ３４に移行して、Ｗ＿ＳＴフラグがクリアされた後、ステップＳ３６に移行する。また、制御部１３の図示されないＣＰＵの外部割り込みポートにより、スイッチのオン信号が検出されたならば、ステップＳ３５に移行してＷ＿ＳＴフラグがセットされた後、ステップＳ３６に移行する。
【００６５】
ステップＳ３６では、通常動作モードが設定される。この通常動作モード設定時は、上述した低消費電流動作時の音声再生部１１、送受信部１２及び表示部１４のディスエーブル状態が解除される。その後、本サブルーチンを抜けて図４のフローチャートのステップＳ２７へ移行する。
【００６６】
次に、図６及び図７のフローチャートを参照して、図３のフローチャートに於けるステップＳ１１のサブルーチン「再生処理」の動作について説明する。
【００６７】
尚、ここでは、「装置本体側再生処理」のフローチャートとして記載しているが、これは、後述する図８の「ヘッドフォン側再生処理」のフローチャートと混同しないように、装置本体側の再生処理を敢えて「装置本体側再生処理」として記すものとする。
【００６８】
先ず、ステップＳ４１にて、図示しないＣＰＵで構成されたシステム制御部２７によって、サブルーチン「バッテリチェックＭ」が実行されて、装置本体２０に内蔵された図示されない電池の残量がチェックされる。ここで、バッテリチェックＭとは、後述するように、バッテリチェック及び電波強度のチェックを実行する処理動作である。
【００６９】
次に、ステップＳ４２に於いて、バッテリチェックの判定結果を表すＢ＿ＮＧフラグが判定される。ここで、Ｂ＿ＮＧフラグが“１”の場合は、バッテリチェックがＮＧと判定されて、ステップＳ４９へ移行してバッテリチェックＮＧ処理が実行される。この時点で、装置本体側の再生処理が終了する。
【００７０】
一方、上記ステップＳ４２に於いて、Ｂ＿ＮＧフラグが“０”の場合は、続くステップＳ４３にて、電界強度判定結果を表すＲ＿ＮＧフラグが判定される。そして、このステップＳ４３にてＲ＿ＮＧフラグが“１”の場合は上記ステップＳ４１に移行し、“０”の場合はステップＳ４４へ移行する。すなわち、ステップＳ４２及びＳ４３に於いて、Ｂ＿ＮＧフラグが“０”、且つＲ＿ＮＧフラグ“１”の場合は、ヘッドフォン側再生処理の音声信号送信許可コマンドの受信待ち状態になる。このとき、システム制御部３０の図示されないＣＰＵによって、記憶部（メモリ）３３から再生開始コマンドが読み出される。
【００７１】
次いで、ステップＳ４４にて、ヘッドフォン側に送受信部２２で変調増幅された上記再生開始コマンドが送信される。装置本体２０側及びヘッドフォン１０側の送受信ミスを軽減するには、再生スイッチ（ＰＬＡＹ）１回のオンについて、上記再生開始コマンドの送信（ステップＳ４４）及び音声信号送信許可コマンドの受信（ステップＳ４５）が所定時間内に複数回繰り返し行われればよい。
【００７２】
ステップＳ４５では、上記再生開始コマンド送信後の装置本体２０が、音声信号送信許可コマンドの受信待ち状態になる。ここで、ヘッドフォン１０側の応答が無い場合は、ステップＳ４６に移行して、後述するサブルーチン「バッテリチェックＭ」が実行されて、電池の残量がチェックされる。そして、ステップＳ４７にて停止スイッチ（ＳＴＯＰ）の状態が検出される。ここで、停止スイッチがオンされていれば後述するステップＳ７１へ移行し、オフであったならば、ステップＳ４８に移行する。
【００７３】
ステップＳ４８では、再度Ｂ＿ＮＧフラグが判定される。ここで、Ｂ＿ＮＧフラグが“１”の場合は、バッテリチェックがＮＧと判定されて、ステップＳ４９へ移行してバッテリチェックＮＧ処理が実行される。一方、Ｂ＿ＮＧフラグが“０”の場合は、上記ステップＳ４５へ移行する。
【００７４】
上記ステップＳ４５にて、ヘッドフォン側が送信する音声信号送信許可コマンドが装置本体２０で受信されると、ステップＳ５０に移行して、装置本体側が待ち受けモードに入っていたか否かを表す状態フラグであるＷ＿ＭＤフラグが判定される。このＷ＿ＭＤフラグは、再生動作中に装置本体２０が音声データの送信を一時的に中断したときにセットされる。
【００７５】
上記ステップＳ５０にて、Ｗ＿ＭＤフラグが“０”の場合は、ステップＳ５１に移行して、選択された音声データ領域に関連した録音モード（標準／高音質）、ファイルナンバ及びこの音声データを記憶した音声データ記憶領域開始アドレス等の各種情報が、インデックス情報領域から読み出されて再生動作が開始される。一方、Ｗ＿ＭＤフラグが“１”の場合は、ステップＳ５２に移行して、音声データ送信中断時のアドレス、すなわちメモリから一番最後に読み出された音声データのアドレス値“Ａｄｄ”から余裕値“５１２ｎ”が減算された値“Ａｄｄ−５１２ｎ”が、音声データ読み出し開始アドレス値として設定される。
【００７６】
上記余裕値の変数“ｎ”は、０を含む正の整数（０、１、２、３…）であり、例えば、最終アドレス値“Ａｄｄ”よりも１０２４番地若いアドレスから音声データを読み出す場合は、“ｎ＝２”を代入すれば開始アドレス値“Ａｄｄ−５１２×２”を得ることができる。また、定数“５１２”は、メモリから音声データを読み出す場合の最小単位（５１２バイト）を表している。このように、音声データ送信再開時の音声データ読み出し開始アドレス値を、最終アドレス値“Ａｄｄ”よりも若く設定するので、再生中断時点の音声が再生再開時に途切れず、結果的に聴感上の違和感を軽減することができる。
【００７７】
また、変数“ｎ”の値は、聴感上の良し悪しで決めればよい。すなわち、再生再開時に再生中断時点の音声を絶対に聞き逃したくないのであれば、変数“ｎ”の値を大きくして音声データ読み出し開始アドレス値を若くすればよい。再生再開時は、ステップＳ５３にて、Ｗ＿ＭＤフラグがクリア（“０”がセット）されて、音声データの読み出しが開始される。
【００７８】
図２に示されるシステム制御部３０では、音声再生部２７がディスエーブル状態にされて、スピーカ（ＳＰ）２８の発音動作が禁止される。そして、ステップＳ５４にて、上記音声データ記憶領域開始アドレスから、順に記憶部（メモリ）３３に記憶されている音声データが読み出される。次いで、ステップＳ５５にて、デジタル信号処理部（ＤＳＰ）２９により復号化される。復号化そのものはフレーム単位で行われるので、続くステップＳ５６に於いて音声データが所定フレーム数に達するまで連続的に行われる。そして、システム制御部３０の図示されないバッファメモリに順次記憶されながら、音声信号として送受信部２２に出力される。
【００７９】
上記ステップＳ５６にて、音声データが所定フレーム数に達したならば、ステップＳ５７に移行して、送受信部２２にて上記音声信号が変調増幅されてヘッドフォン１０側に送信される。次いで、ステップＳ５８にてサブルーチン「バッテリチェックＭ」が実行され、ステップＳ５９にて電池の残量チェック、ステップＳ６０にて電波強度チェック、ステップＳ６１にて停止スイッチ（ＳＴＯＰ）の状態検出が、それぞれ行われる。
【００８０】
すなわち、主に電池電圧の低下、またはヘッドフォン１０側と装置本体２０側との距離の拡大から誘発される電波強度の低下（＝受信時のＳ／Ｎの悪化）が早期に発見されれば、音声信号の送信をキャンセルすることができるので、結果的に、ヘッドフォン側の音質劣化を防止することができる。尚、これらの状態検出は、ステップＳ６１で停止スイッチ（ＳＴＯＰ）がオンするまでの間、上記ステップＳ５４〜Ｓ６１が繰り返し実行される。
【００８１】
上記ステップＳ５９にてＢＮＧフラグが“０”の場合は、ステップＳ６２に移行して、上述したステップＳ４９と同様にバッテリチェックＮＧ処理が実行される。また、上記ステップＳ６０にてＲＮＧフラグが“１”の場合は、電波強度が低下しているので、ステップＳ６３に移行してメモリからの音声データの読み出しが一時的に停止される。そして、このときの最終アドレス値“Ａｄｄ”が図２の記憶部（メモリ）３３に記憶される。次いで、ステップＳ６４にて、ヘッドフォン１０側に待受けモード開始コマンドが送信させて、これ以降の音声信号の受信処理が停止される。
【００８２】
そして、ステップＳ６５にて、システム制御部３０の図示されないＣＰＵによって、音声信号の送信を一時中断していることを表すＷ＿ＭＤフラグがセットされる。その後、ステップＳ６６にて、再びサブルーチン「バッテリチェックＭ」が実行されながら電池電圧の回復、またはヘッドフォン１０側と装置本体２０側との距離の隔たり具合の改善を待つ。そして、この間に、ステップＳ６７にて停止スイッチ（ＳＴＯＰ）の状態検出、ステップＳ６８にて電池の残量チェック、及びステップＳ６９にて電波強度チェックが行われる。
【００８３】
上記ステップＳ６７にて停止スイッチ（ＳＴＯＰ）がオンされれば、後述するステップＳ７１へ移行する。ステップＳ６８にて、Ｂ＿ＮＧフラグが“１”であれば、ステップＳ７０に移行して、上述したステップＳ４９及びＳ６２と同様に、サブルーチン「バッテリチェックＮＧ処理」が実行される。一方、ステップＳ６８にて、Ｂ＿ＮＧフラグが“０”であれば、ステップＳ６９に移行してＲ＿ＮＧフラグが判定される。その結果、Ｒ＿ＮＧフラグが“１”の場合は、電波強度が低下したままなので、上記ステップＳ６６に移行して、Ｒ＿ＮＧフラグが“０”になるまで上記ステップＳ６６〜Ｓ６９が繰り返される。そして、Ｒ＿ＮＧフラグが“０”になれば、音質劣化の起きないレベルまで電波強度が回復しているので、上記ステップＳ４４へ移行して、ヘッドフォン１０側に再生開始コマンドが送信されて音声信号の受信処理が再開される。
【００８４】
また、上記ステップＳ６７では、装置本体２０側にて、ヘッドフォン１０側に再生終了コマンドが送信される。その後、ステップＳ７２にて、装置本体２０側の再生終了処理が実行されて、本再生処理が終了する。そして、本サブルーチンを抜けて図３のフローチャートに於けるステップＳ１７へ移行する。
【００８５】
次に、図８のフローチャートを参照して、図４のフローチャートのステップＳ２５に於けるサブルーチン「ヘッドフォン側再生処理」について説明する。
【００８６】
先ず、ステップＳ８１にて、図示されないＣＰＵで構成された制御部１３によって、サブルーチン「バッテリチェックＳ」が実行される。尚、このサブルーチン「バッテリチェックＳ」の詳細な動作については後述する。また、バッテリチェックＳとは、バッテリチェックのみのチェックを実行する処理動作である。
【００８７】
次いで、ステップＳ８２に於いて、ヘッドフォン１０に内蔵された図示されない電池の残量がチェックされる。ここで、Ｂ＿ＮＧフラグが“１”の場合は、バッテリチェックＮＧと判定されて、ステップＳ８７に移行してバッテリチェックＮＧ処理が実行される。この時点でヘッドフォン側の再生処理が終了する。一方、上記ステップＳ８２にて、Ｂ＿ＮＧフラグが“０”の場合は、制御部１３内の図示されないＣＰＵによって、受信された再生開始コマンドに応答して、装置本体２０側に音声信号送信許可コマンドが送信される。
【００８８】
その後、ステップＳ８４にて、連続的または断続的に電波強度測定用マーカ信号の送信が開始される。上記電波強度測定用マーカ信号は、少なくとも電池残量が十分な場合に、ヘッドフォン１０側と装置本体２０側との距離が所定距離（例えば、“１ｍ”）内であれば、装置本体２０側の受信レベルが常に上述したＲ＿ＮＧフラグが“０”になるような電波強度に変調増幅されている。
【００８９】
次に、ステップＳ８５にて、図示されないＣＰＵで構成された制御部１３によって、再びサブルーチン「バッテリチェックＳ」が実行される。続いて、ステップＳ８６にて、電池の残量がチェックされる。ここで、Ｂ＿ＮＧフラグが“１”の場合は、ステップＳ８７に移行してバッテリチェックＮＧ処理が実行される。一方、Ｂ＿ＮＧフラグが“０”の場合は、ステップＳ８８に移行して、送受信部１２で受信復調された音声信号が音声再生部１１で増幅されてドライバユニット１８が駆動される。
【００９０】
そして、ステップＳ８９に於いて、装置本体２０から送信された音声データの受信が成功したか否かが判定される。ここで、音声データが正常に受信できた場合は、ステップＳ９０に移行して音声データの再生が行われる。一方、音声データが正常に受信できなかった場合には、ステップＳ９１に移行して、ヘッドフォン１０が装置本体２０側から信号を受信できなくなってから所定時間経過した場合に、ヘッドフォンを待ち受け状態に設定するためのタイマが起動中であるか否かが判定される。
【００９１】
ここで、上記タイマが起動中であった場合には、ステップＳ９３に移行する。一方、上記タイマが起動していなかった場合には、ステップＳ９２に移行して上記タイマがスタートされた後、ステップＳ９３に移行する。
【００９２】
次に、ステップＳ９３に於いて、装置本体２０側から再生終了コマンドがヘッドフォン１０で受信されたか否かが判定される。ここで、再生処理中の制御部１３内の図示されないＣＰＵによって、送受信部１２にて受信復調された制御信号から再生終了コマンドが検出されると、ステップＳ９４に移行して、電波強度測定用マーカ信号の送信が停止される。次いで、ステップＳ９５にて、ヘッドフォン１０側で、ヘッドフォン側再生終了処理が実行されて再生処理が終了する。その後、本サブルーチンを抜けて図４のフローチャートのステップＳ２６へ移行する。
【００９３】
一方、上記ステップＳ９３にて再生コマンドが受信されていないと判定された場合には、ステップＳ９６に移行して、装置本体２０から送信される待受けモード開始コマンドが受信されたか否かが判定される。ここで、待受けモード開始コマンドが受信されていれば、本サブルーチンを抜けて図４のフローチャートのステップＳ２６へ移行する。
【００９４】
上記ステップＳ９６にて待受けモード開始コマンドが受信されていないと判定された場合には、ステップＳ９７へ移行して、上記ステップＳ９２にて起動されたタイマがスタートされてから所定時間以上経過したか否かが判定される。ここで、上記タイマがスタートされてから所定時間以上経過していないと判定された場合は、上記ステップＳ８５に移行して、上述した処理動作が繰り返される。そうでない場合には、本サブルーチンを抜けて図４のフローチャートのステップＳ２６へ移行する。
【００９５】
次に、図９のフローチャートを参照して、サブルーチン「バッテリチェックＳ」の動作について説明する。
【００９６】
先ず、ステップＳ１０１にて、図示されないＣＰＵで構成された制御部１３によって、ヘッドフォン１０に内蔵された図示されない電池の端子電圧と、バッテリチェック判定用の所定の基準電圧値とが比較されて、正確な判定結果が出力される。
【００９７】
そして、ステップＳ１０２に於いて、判定結果がＮＧレベルであると判定されたならば、ステップＳ１０３に移行して、Ｂ＿ＮＧフラグがセットされた後、本サブルーチンを抜ける。一方、上記ステップＳ１０２に於いて、判定結果がＯＫレベルであると判定されたならば、ステップＳ１０４に移行して、Ｂ＿ＮＧフラグがクリアされた後、本サブルーチンを抜ける。
【００９８】
尚、上記判定結果は、ＬＥＤまたはＬＣＤ等で構成された表示部１４に告知してもよい。
【００９９】
次に、図１０のフローチャートを参照して、サブルーチン「バッテリチェックＭ」の動作について説明する。
【０１００】
先ず、ステップＳ１１１にて、図示されないＣＰＵで構成されたシステム制御３０によって、装置本体２０に内蔵された図示されない電池の端子電圧と、バッテリチェック判定用の所定の基準電圧値とが比較される。次いで、ステップＳ１１２に於いて、正確な判定結果が出力される。
【０１０１】
ここで、判定結果がＮＧレベルであれば、ステップＳ１１３に移行して、Ｂ＿ＮＧフラグがセットされた後、本サブルーチンを抜ける。一方、上記ステップＳ１１２に於いて、判定結果がＯＫレベルであれば、ステップＳ１１４に移行してＢ＿ＮＧフラグがクリアされる。そして、ステップＳ１１５では、ヘッドフォン１０側から送信されたマーカ信号の電波強度が判定される。具体的には、送受信部２２が出力するマーカ信号の復調後の出力電圧と電波強度判定用の所定の基準電圧値とが比較される。次いで、ステップＳ１１６に於いて、正確な判定結果が出力される。
【０１０２】
このステップＳ１１６に於いて、判定結果が所定レベル以下であれば、ステップＳ１１７に移行して、Ｒ＿ＮＧフラグがセットされた後、本サブルーチンが終了する。一方、上記ステップＳ１１６にて判定結果が所定レベル以上であれば、ステップＳ１１８に移行して、音声信号の送信が一時中断しているか否かを判断するために、Ｗ＿ＭＤフラグの状態が判定される。
【０１０３】
ここで、Ｗ＿ＭＤフラグが“０”の場合は、音声信号の送信が継続されているので、後述するステップＳ１２４に移行して、Ｒ＿ＮＧフラグがクリアされて速やかに本サブルーチンから抜ける。一方、上記ステップＳ１１８にて、Ｗ＿ＭＤフラグが“１”の場合は、電波強度不足による待受けモード状態なので、装置本体２０側のマーカ信号の受信レベルの回復状態が、上述したサブルーチン「バッテリチェックＭ」が実行される毎に、後述するステップＳ１１９〜Ｓ１２３で判定される。
【０１０４】
しかしながら、送受信部２２から出力されるマーカ信号の復調後の出力電圧が、電波強度判定用の所定の基準電圧値と単に大小比較されただけでは、その閾値前後に於いて誤判定が非常に起こり易くなり、結果的に、ヘッドフォン１０側の音質劣化を防止できなくなる危険性がある。そこで、上記マーカ信号の復調後の出力電圧が、所定時間以上継続して上記閾値よりも大きいと判定された場合のみ、装置本体２０側の再生処理の再開が許可される。
【０１０５】
すなわち、ステップＳ１１８にてＷ＿ＭＤフラグが“１”の場合は、ステップＳ１１９に移行して、計時用タイマがスタートされた後に、ステップＳ１２０にてマーカ信号の復調後の出力電圧が基準電圧値と大小比較される。上記マーカ信号の復調後の出力電圧と基準電圧値との大小比較は、後述するステップＳ１２３でタイムオーバが検出されるまでの所定時間内に繰り返し行われる。また、その間の基準電圧値は、期待する受信状態に応じて可変（ｎ倍の係数を掛ける）すればよい。
【０１０６】
例えば、確実、且つ高感度な受信状態を期待するならば、標準値（ｎ＝１．０）よりも敢えて大きな係数（ｎ＝１・２）が基準電圧値に掛けられて、ヘッドフォン１０側と装置本体２０側との距離が極めて近くなければ、装置本体２０側の受信レベルがＲ＿ＮＧフラグが“０”の判定にならないように設定される。逆に、ある程度の音質低下を許容できるのであれば、標準値よりも小さな係数（ｎ＝０．７）を基準電圧値に掛けることにより、上記距離の厳密さを緩くすることもできる。勿論、上記係数は、更に細かく設定してもよいし、基準電圧値に全く掛けなくてもよい。
【０１０７】
上記ステップＳ１２１に於いて、上記マーカ信号の復調後の出力電圧の判定結果が所定レベル未満の場合は、ステップＳ１２２に移行してＲ＿ＮＧフラグがセットされた後、本サブルーチンが終了する。一方、上記ステップＳ１２１に於いて、上記マーカ信号の復調後の出力電圧の判定結果が所定レベル以上の場合は、ステップＳ１２３に移行して、上記ステップＳ１１９でスタートされたタイマが検出される。ここで、タイムオーバにならなければ上記ステップＳ１２０に移行する。一方、タイムオーバになったならば、ステップＳ１２４でＲ＿ＮＧフラグがクリアされた後、本サブルーチンが終了する。
【０１０８】
図１１は、上述した構成の装置本体側の外観構成を示したもので、（ａ）は上面図、（ｂ）は録音時の操作表示部の状態を示した正面図である。
【０１０９】
本実施形態に於ける装置本体４０の上面には、マイクロフォン孔４１、マイクジャック４２及びイヤフォンジャック４３が配設されている。そして、この装置本体４０の内部で、上記マイクロフォン孔４１の直下には、図２に示されるマイクロフォン（ＭＩＣ）２５が配設されている。尚、特に図示していないが、装置本体４０の裏面に設けられたスピーカ孔の直下には、図２に示されるスピーカ（ＳＰ）２８が配設されている。
【０１１０】
また、この装置本体４０の前面部には、図２に示される消去スイッチ（ＥＲＡＳＥ）６２部３４に対応した、停止スイッチ（ＳＴＯＰ）４５、再生スイッチ（ＰＬＡＹ）４６、録音スイッチ（ＲＥＣ）４７、早戻しスイッチ（ＲＥＷ）４８、早送りスイッチ（ＦＦ）４９、消去スイッチ（ＥＲＡＳＥ）５１及びメニュースイッチ（ＭＥＮＵ）５２の各種操作スイッチが、操作し易いように配設されている。更に、装置本体４０の前面部で、上述した各種スイッチの上方には、図２に示される表示部３２に対応したＬＣＤ５３が配設されている。
【０１１１】
ここで、装置本体４０の操作方法について説明する。
【０１１２】
基本操作は、従来の一般的なＩＣレコーダと等価である。
【０１１３】
先ず、装置本体４０の録音スイッチ（ＲＥＣ）４７がオンされると、録音が開始される。このとき、ＬＣＤ５３には、録音開始初期の表示がなされて、該装置本体４０が録音動作状態であることが操作者に告知される。この状態に於いて、装置本体４０の上面のマイクロフォン孔４１が図示されない口述者に向けられれば、口述内容を確実に記録（録音）することができる。
【０１１４】
記録された上記口述内容は、装置本体４０の再生スイッチ（ＰＬＡＹ）４６がオンされれば、装置本体４０の裏面のスピーカ孔（図示せず）から発音させることができる。スピーカ孔からヘッドフォンに発音が切り換える場合は、図示されないワイヤ式ヘッドフォンのプラグをイヤフォンジヤック４３に挿入すればよい。但し、音声信号送信許可コマンドを受信済みの場合は、上述したように、スピーカ孔からの発音は生じない。
【０１１５】
通常、図２に示される記憶部（メモリ）３３には、操作者自身が記録した様々な音声ファイルが記憶されている。したがって、これら複数の音声ファイルから目的の音声ファイルを検索する場合は、早送りスイッチ（ＦＦ）４９または早戻しスイッチ（ＲＥＷ）４８をオンしながら順繰りにＬＣＤ５３に音声ファイル名等を表示させればよい。不要な音声ファイルは、検索後に消去スイッチ（ＥＲＡＳＥ）５１をオンして消去する。また、録音及び再生動作は、停止スイッチ（ＳＴＯＰ）４５をオンにすれば停止する。
【０１１６】
マイク感度（高／低）、録音モード（標準／ロング）等の機能変更は、メニュースイッチ（ＭＥＮＵ）５２がオンされた後のＬＣＤ５３の設定画面に於いて、早送りスイッチ（ＦＦ）４９または早戻しスイッチ（ＲＥＷ）４８を断続的にオンしながら順繰りに機能項目を選択して、再生スイッチ（ＰＬＡＹ）４６のオンで変更内容を決定する。
【０１１７】
ちなみに、上記音声ファイルのフォーマットは、最近では音楽等の高音質録音に適したＭＰ３及びＷＭＡ等を用いることが多い。このため、口述よりもむしろ純粋に音楽の音声ファイルを数多く録音するような操作者は、装置本体４０を、いわゆるデジタルオーディオプレーヤ（ミュージックプレーヤ）のように扱う傾向が強い。本発明は、ＩＣレコーダのみならず、このような再生機能に特化した携帯型のデジタルオーディオプレーヤにも問題なく適用することができる。
【０１１８】
次に、図１２を参照して、本実施形態に於ける装置本体２０側及びヘッドフォン１０側のワイヤレス送受信の様子について説明する。
【０１１９】
図１２に示される装置本体４０のＬＣＤ５３には、再生動作中を表すマーク５７、ファイルナンバ５６、再生経過時間５７、ファイルを収納しているフォルダマーク５９、ファイルのフォーマット形式６０及びマーカ信号の電波強度６１が表示される。勿論、表示形態は、上述した限りではなく、例えば視認性の高い大画面フルカラーＬＣＤを用いれば、より多くの情報を一度に表示することができるのは言うまでもない。
【０１２０】
一方、ヘッドフォン６３側には、再生動作中及び電源オンを告知表示するＬＥＤ６４、パワースイッチ（ＰＯＷＥＲ）６５及び再生スイッチ（ＰＬＡＹ）６６が配設されている。
【０１２１】
装置本体４０側及びヘッドフォン６３側がワイヤレス送受信６８が開始されると、ヘッドフォン６３には、左右のドライバユニット（図示せず）から音声が出力される。操作者は、装置本体４０側またはヘッドフォン側に設けられた図示されないボリュームを操作することにより、聴きやすい音量に出力レベルを加減調節することができる。更に、音声出力を一時停止する場合は、再生スイッチ（ＰＬＡＹ）６６または上述した装置本体４０側の再生スイッチ（ＰＬＡＹ）４６をオンする。再生の再開は、何れかのスイッチを再オンすればよい。
【０１２２】
尚、ＬＥＤ６４の発光色は、操作者が再生動作中を認識し易いように、例えば２色発光（緑／赤）ＬＥＤを用いて、電源オン時の緑色発光から、再生中は赤色発光に切り換えるようにしてもよい。
【０１２３】
このように、本実施の形態によれば、受信状態が悪い場合は再生動作を自動的に停止させ、また、受信状態の回復と同時に自動的に再生を開始させるので、操作者は再生をやり直す必要がない。
【０１２４】
以上、本発明の実施形態について説明したが、本発明の主旨を逸脱しない範囲で変形可能であることは勿論である。
【図面の簡単な説明】
【０１２５】
【図１】本発明の一実施形態であるワイヤレス式音声記録再生装置のヘッドフォン側の概略構成を示したブロック図である。
【図２】本発明の一実施形態であるワイヤレス式音声記録再生装置の装置本体側の概略構成を示したブロック図である。
【図３】本発明の一実施形態であるワイヤレス式音声記録再生装置のメインの動作を説明するフローチャートである。
【図４】ヘッドフォン側の動作について説明するフローチャートである。
【図５】図４のフローチャートに於けるステップＳ２６のサブルーチン「待受けモード」の動作について説明するフローチャートである。
【図６】図３のフローチャートに於けるステップＳ１１のサブルーチン「再生処理」の動作について説明するフローチャートである。
【図７】図３のフローチャートのステップＳ１１に於けるサブルーチン「再生処理」の動作について説明するフローチャートである。
【図８】図４のフローチャートのステップＳ２５に於けるサブルーチン「ヘッドフォン側再生処理」について説明するフローチャートである。
【図９】サブルーチン「バッテリチェックＳ」の動作について説明するフローチャートである。
【図１０】サブルーチン「バッテリチェックＭ」の動作について説明するフローチャートである。
【図１１】本発明の一実施形態であるワイヤレス式音声記録再生装置の装置本体側の外観構成を示したもので、（ａ）は上面図、（ｂ）は録音時の操作表示部の状態を示した正面図である。
【図１２】本発明の一実施形態に於けるワイヤレス式音声記録再生装置の装置本体２０側及びヘッドフォン１０側のワイヤレス送受信の様子について説明する図である。
【符号の説明】
【０１２６】
１０…ヘッドフォン、１１…音声再生部、１２…送受信部、１３…制御部、１４…表示部、１５…操作部、１７…アンテナ、１８…ドライバユニット、２０…装置本体、２１…アンテナ、２２…送受信部、２３…コーデック、２５…マイクロフォン（ＭＩＣ）、２６…音声入力部、２７…音声再生部、２８…スピーカ、２９…デジタル信号処理部（ＤＳＰ）、３０…システム制御部、３２…表示部、３３…記憶部（メモリ）、３４…操作部。
【図１】
2006303672.tif 000003
【図２】
2006303672.tif 000004
【図３】
2006303672.tif 000005
【図４】
2006303672.tif 000006
【図５】
2006303672.tif 000007
【図６】
2006303672.tif 000008
【図７】
2006303672.tif 000009
【図８】
2006303672.tif 000010
【図９】
2006303672.tif 000011
【図１０】
2006303672.tif 000012
【図１１】
2006303672.tif 000013
【図１２】
2006303672.tif 000014